(57)【特許請求の範囲】
【請求項１】
内部に配線・配管材を収容保護して、床面又は天井面に沿って配設される第１保護カバーの端部が接続される第１接続部と、
同じく内部に配線・配管材を収容保護して、壁面に沿って垂直に配設される第２保護カバーの端部が接続される第２接続部と、
前記壁面と床面又は天井面とで形成される建物の入隅部において、前記第１及び第２の各保護カバーの間で露出する配線・配管材を覆うようにして収容保護するジョイント部材本体とを備え、
前記ジョイント部材本体における前記入隅部を形成する面に当接する当接部には、前記入隅部に形成される巾木等の突出縁部の突出量に応じて圧縮変形可能な蛇腹部材、ゴム材、又は軟質樹脂材から成る圧縮変形部が設けられていることを特徴とする配線・配管材保護カバーのジョイント部材。
【発明の詳細な説明】
【０００１】
【発明の属する技術分野】
本発明は、建物の壁面と床面又は天井面とに沿って２本の配線・配管材保護カバーが互いに直交し、しかも各端部が互いに近接した非接続状態で配設されて、この保護カバーに収容保護された配線・配管材が建物の入隅部において露出する部分を覆って収容保護する配線・配管材保護カバーのジョイント部材に関するものである。
【０００２】
【従来の技術】
上記目的に使用される従来のジョイント部材Ｊ’は、その全体が変形不能なように樹脂で一体成形されているために、図１３に示されるように、建物の入隅部Ｃ1 の壁面Ｗにおいて、巾木Ｂが突出していると、その背面側に設けられた当接面５１が前記巾木Ｂに当接し、しかもジョイント部材Ｊ’の高さが前記巾木Ｂよりも高いので、該ジョイント部材Ｊ’の当接面５１の上端部と、壁面Ｗとの間に所定の隙間６１が形成されてしまう。
【０００３】
このため、前記隙間６１の存在により、入隅部Ｃ1 に配設されたジョイント部材Ｊ’そのものの見栄えが悪くなると共に、前記ジョイント部材Ｊ’に収容保護された電線Ｌの一部が前記隙間６１を通して視認されたり、該隙間６１にゴミ類が溜まる等して、室内の外観も悪くなる。なお、図１３において、Ｐ1,Ｐ2 は、それぞれ床面Ｆ及び壁面Ｗに沿って配設される第１及び第２の各電線保護カバーである。
【０００４】
【発明が解決しようとする課題】
本発明は、上記したジョイント部材において、建物の入隅部に巾木等の突出縁部が設けられている場合にも、その当接部の全面を当接可能にして、前記当接部と壁面等との間に隙間が発生するのを防止することを課題としている。
【０００５】
【課題を解決するための手段】
この課題を解決するための請求項１の発明は、内部に配線・配管材を収容保護して、床面又は天井面に沿って配設される第１保護カバーの端部が接続される第１接続部と、同じく内部に配線・配管材を収容保護して、壁面に沿って垂直に配設される第２保護カバーの端部が接続される第２接続部と、前記壁面と床面又は天井面とで形成される建物の入隅部において、前記第１及び第２の各保護カバーの間で露出する配線・配管材を覆うようにして収容保護するジョイント部材本体とを備えた配線・配管材保護カバーのジョイント部材であって、前記ジョイント部材本体における前記入隅部を形成する面に当接する当接部に、前記入隅部に形成される巾木等の突出縁部の突出量に応じて圧縮変形可能な蛇腹部材、ゴム材、又は軟質樹脂材から成る圧縮変形部を設けたことを特徴としている。
【０００６】
請求項１の発明によれば、入隅部に突出縁部が存在する場合には、ジョイント部材本体の圧縮変形部は、蛇腹部材、ゴム材、又は軟質樹脂材から成って、前記突出縁部に対応する部分のみが、その突出量に対応した量だけ圧縮変形されて、その残りの部分は、非圧縮状態となって、前記突出縁部に連続する壁面等に当接する。これにより、ジョイント部材本体の当接部の全面が前記突出縁部と、該突出縁部に連続する壁面等に当接して、ジョイント部材本体と壁面等との間に隙間が生じなくなる。
【０００７】
【０００８】
【発明の実施の形態】
以下、実施例を挙げて、本発明を更に詳細に説明する。図１は、本発明に係るジョイント部材Ｊ1 の一使用例を示す斜視図であり、図２は、同じく側面断面図であり、図３は、ジョイント部材本体１０と固定具Ｄとを正面下方から見た分離状態の斜視図であり、図４は、図２のＸ1 −Ｘ1 線断面図であり、図５は、図２のＸ2 −Ｘ2 線断面図であり、図６は、図２のＹ−Ｙ線断面図である。
【０００９】
図１及び図２に示されるように、床面Ｆに這う電線Ｌを壁面Ｗに沿わせて、天井面Ｒに設置された電気器具（図示せず）に給電する場合には、前記電線Ｌは、床面Ｆにおいては、これに沿って水平に配設された第１電線保護カバーＰ1 に収容保護され、壁面Ｗにおいては、これに沿って垂直に配設される第２電線保護カバーＰ2 に収容保護される。第１及び第２の各電線保護カバーＰ1,Ｐ2 は、互いに直交し、しかも床面側の第１入隅部Ｃ1 において、その各端部が互いに近接した非接続状態となって配設される。このため、床面側の第１入隅部Ｃ1 においては、第１及び第２の各電線保護カバーＰ1,Ｐ2 に収容保護された電線Ｌは、露出状態となるために、本発明に係るジョイント部材Ｊ1 によって、電線Ｌの前記露出部分は、収容保護される。
【００１０】
また、第１及び第２の各電線保護カバーＰ1,Ｐ2 は、いずれも基台と、該基台に嵌着される蓋体との２つの部材の組み合わせから成って、その内部に電線Ｌが収容保護されるのであるが、各電線保護カバーＰ1,Ｐ2 の横断面形状は、異なっている。即ち、床面Ｆに配設される第１電線保護カバーＰ1 の横断面は、引掛り部を無くすために、割円状となっているが、壁面Ｗに配設される第２電線保護カバーＰ2 は、引っ掛かりの問題がないために、断面略方形状となっており、しかも第１電線保護カバーＰ1 の巾は、第２電線保護カバーＰ2 の巾よりも遙に広くなっている。
【００１１】
ジョイント部材Ｊ1 は、電線Ｌの前記露出部分を覆うジョイント部材本体１０と、該本体１０を床面Ｆに固定するための固定具Ｄとで構成される。ジョイント部材本体１０は、樹脂の一体成形品であって、図１ないし図４に示されるように、正面視において所定巾を有して、側面形状が略Ｌ字状をしていて、底面と背面との双方が開口した部材である。また、ジョイント部材本体１０の奥側に起立した起立部１は、その横断面がコ字形であって、前記第１及び第２の各電線保護カバーＰ1,Ｐ2 の巾が大きく異なることに対応して、上方に向けて漸次巾が狭くなっている。また、ジョイント部材本体１０の手前側の水平設置部２は、断面割円状となっていて、前記起立部１に比較して、その長さが遙に短いと共に、その巾は、ジョイント部材本体１０の裏面に至るまで等巾となっていて、前記起立部１と前記水平設置部２は、屈曲部において連続している。そして、水平設置部２の前端と起立部１の上端とに、それぞれ前記第１及び第２の各電線保護カバーＰ1,Ｐ2 に接続される第１及び第２の各接続口３，４が設けられている。
【００１２】
また、図８に示されるように、起立部１の上端の上板部５には、大きさの異なる複数種類の第２電線保護カバーＰ2 が接続可能なように、その裏面に複数の接続口形成溝６a,６b,６c が形成されており、いずれか一つの接続口形成溝６a(６b,６c)の部分で上板部５を方形状に欠落させて、前記第２接続口４を形成するようになっている。
【００１３】
また、ジョイント部材本体１０は、これを構成する各板部の観点で把握すると、起立部１と水平設置部２との全域に亘って所定間隔をおいて相対向して設けられる一対の側板部７と、該一対の側板部７を前面側で連結している前板部８と、起立部１の上端部において前記一対の側板部７と前記前板部８とに連結されている前記上板部５とによって構成される。また、一対の側板部７における背面側から手前側に向けて所定巾の部分は、ジョイント部材本体１０のほぼ全高に亘って蛇腹部材で構成されて、圧縮変形部９となっている。この圧縮変形部９を構成する蛇腹部材は、切込みが可能なように薄肉に形成されている。また、一対の側板部７の下端面は、床面Ｆに当接する第１当接面１１となっていると共に、背面側の所定巾の部分のみが前記圧縮変形部９で構成される一対の側板部７と上板部５との互いに連続する背面側の端面は、壁面Ｗ及び該壁面Ｗの下端部において室内側に突出した巾木Ｂに当接する第２当接面１２となっている。
【００１４】
また、ジョイント部材本体１０の水平設置部２は、固定具Ｄを装着可能な構造になっている。即ち、図２及び図３において、水平設置部２に配置された前板部８の裏面には、その巾方向に沿って所定間隔をおいて一対の係合爪１３が設けられていると共に、該一対の係合爪１３の側方の各側板部７には、それぞれ嵌合溝１４が設けられている。また、図３において、前板部８の裏面には、床面Ｆに配設される第１電線保護カバーＰ1 の挿入端の位置決めを行うための位置決め片１５が下方に向けて突設されている。なお、図２において、１６，１７は、それぞれ床板、及び壁板を示す。
【００１５】
また、ジョイント部材本体１０は、固定具Ｄを介して床面Ｆに固定される。この固定具Ｄは、図２，図３及び図６に示されるように、長方形状の基板２１の上面に、その長手方向に沿って所定間隔をおいて一対の係合板２２が一体成形されて、前記基板２１と前記一対の係合板２２との接続部分には、ジョイント部材本体１０の一対の係合爪１３と係合可能な一対の被係合穴２３が設けられ、前記基板２１の長手方向の両端部に、ジョイント部材本体１０の前記各嵌合溝１４に嵌合可能な嵌合板部２４が側方に突設され、基板２１の中央部にビス穴２５が設けられた構成である。そして、ジョイント部材Ｊ1 を配設する第１入隅部Ｃ1 の床面Ｆに前記固定具Ｄをビス２６を介して固定しておき、その直上からジョイント部材本体１０を押し込むと、該ジョイント部材本体１０の一対の係合爪１３が固定具Ｄの一対の被係合穴２３に係合されると共に、前記ジョイント部材本体１０の各嵌合溝１４に固定具Ｄの各嵌合板部２４が嵌合されて、第１入隅部Ｃ1 の定められた位置に固定具Ｄを介してジョイント部材Ｊ1 が配設される。
【００１６】
そして、上記したジョイント部材Ｊ1 を使用して、建物の床面側に巾木Ｂを有する第１入隅部Ｃ1 において、電線Ｌにおける第１及び第２の各電線保護カバーＰ1,Ｐ2 から露出した部分を覆って、第１及び第２の各電線保護カバーＰ1,Ｐ2 の各端部を接続するには、以下のようにして行う。図１及び図２でいずれも２点鎖線で示されるように、床面Ｆに水平に配設された第１電線保護カバーＰ1 は、その一端部が、壁面Ｗの下端部に設けられた巾木Ｂとの間に所定間隔をおいて近接していると共に、壁面Ｗに垂直に配設された第２電線保護カバーＰ2 は、その下端部が、前記巾木Ｂとの間に所定間隔をおいて近接していて、各保護カバーＰ1,Ｐ2 に収容保護された電線Ｌは、前記第１入隅部Ｃ1 において露出している。
【００１７】
そして、巾木Ｂの突出量が多い場合には、図３に示されるように、前記第１入隅部Ｃ1 に配設されるジョイント部材本体１０の圧縮変形部９に圧縮方向に沿った切込み１８を設けておく。この切込み１８の位置は、ジョイント部材Ｊ1 の下端面である第１当接面１１から起算して、前記巾木Ｂの高さに対応する位置である。そして、床面Ｆにおける第１電線保護カバーＰ1 の一端部の直前の部分に、ビス２６を介して前記固定具Ｄを固定しておいて、ジョイント部材本体１０の第２接続口４に第２電線保護カバーＰに嵌合させると共に、その圧縮変形部９における前記切込み１８よりも下方の部分を前記巾木Ｂに当接させて圧縮させた状態で、前記固定具Ｄの直上から前記ジョイント部材本体１０を押し込むと、該ジョイント部材本体１０の前板部８の裏面に設けられた一対の係合爪１３が、前記固定具Ｄの一対の被係合穴２３に係合して、電線Ｌの露出部分を覆った状態で、前記第１入隅部Ｃ1 にジョイント部材Ｊ1 が配設される。
【００１８】
これにより、図２、図４及び図５に示されるように、圧縮変形部９における前記切込み１８よりも下方の部分のみが、前記巾木Ｂの突出量に対応した量だけ圧縮変形されて、前記圧縮変形部９における前記切込み１８よりも上方及び下方の各部分は、その背面の第２当接面１２が前記壁面Ｗ及び巾木Ｂにそれぞれ当接する。このため、圧縮変形部９に前記切込み１８を設けることにより、該切込み１８よりも上方の圧縮変形部９の下端面である切込み面は、前記巾木Ｂの上端面に密着した状態となって、前記巾木Ｂの直上において、ジョイント部材本体１０と壁面Ｗとの間の隙間は、生じなくなる。また、ジョイント部材本体１０の下端面である第１当接面１１は、その全面が床面Ｆに当接する。なお、図２に示されるように、第１電線保護カバーＰ1 の一端部は、ジョイント部材本体１０の第１接続口３に嵌合されている。
【００１９】
また、巾木Ｂの突出量が多い場合においては、図７及び図８に示されるように、ジョイント部材本体１０の圧縮変形部９を、前記巾木Ｂの突出部の断面形状に対応した方形状に切り欠いて、切欠き部２０を設けることも可能である。これにより、ジョイント部材Ｊ1 の配設状態において、圧縮変形部９に設けた前記切欠き部２０に巾木Ｂが嵌合する形態となって、圧縮変形部９は、変形することなく、その非切欠き部及び切欠き部２０の背面の各第２当接面１２，１２’が、それぞれ壁面Ｗ及び巾木Ｂの前面に当接して、巾木Ｂの直上において、ジョイント部材本体１０と壁面Ｗとの間に隙間は生じなくなる。
【００２０】
一方、図９に示されるように、巾木Ｂ’の突出量が少ない場合には、ジョイント部材本体１０の圧縮変形部９に切込み１８、或いは切欠き部２０を設けることなく、そのままにして、第１入隅部Ｃ1 に配設すると、前記圧縮変形部９は、巾木Ｂに対応する部分のみが、その突出量に対応した量だけ圧縮変形されて、該巾木Ｂの前面に当接すると共に、その残りの部分は、非圧縮状態のままで、前記巾木Ｂの上方において連続する壁面Ｗに当接する。これにより、巾木Ｂの直上部において、壁面Ｗとの間に隙間は殆ど生じなくなる。
【００２１】
また、図１０ないし図１２に示されるように、天井面Ｒには、壁面Ｗに配設される第２電線保護カバーＰ2 と同一の第３電線保護カバーＰ3 が配設され、壁面Ｗと天井面Ｒとで形成される第２入隅部Ｃ2 における電線Ｌの露出部分は、ジョイント部材Ｊ2 によって覆われる。このジョイント部材Ｊ2 の本体３０は、その上面と背面とが開口されて、天井面Ｒに設置される水平設置部３１と、壁面Ｗに設置される垂直設置部３２とがほぼ同一形状になっていて、その巾は、全部位において同一である。ジョイント部材本体３０を構成する一対の側板部３３の背面側から所定巾の部分のみが、蛇腹部材で構成された圧縮変形部３４となっていて、一対の側板部３３の上端面は、天井面Ｒに当接する第１当接面３５になっていると共に、前記圧縮変形部３４の背面の垂直端面は、壁面Ｗに当接する第２当接面３６になっている。また、前記水平設置部３１の手前側端と、前記垂直設置部３２の下端とには、同一方形状の第１及び第２の各接続口３７，３８がそれぞれ形成されている。また、一対の側板部３３を連結している前板部３９の裏面における水平設置部３１の側の端部には、前記ジョイント部材本体１０と同様にして、固定具（図示せず）を介してジョイント部材本体３０を天井面Ｒに固定するための一対の係合爪４０が形成されている。
【００２２】
このため、壁面Ｗと天井面Ｒとが直交する第２入隅部Ｃ2 に巾木Ｂが大きく突出した状態で設けられている場合には、ジョイント部材本体３０の圧縮変形部３４に、前記巾木Ｂの巾に対応する位置に圧縮方向に沿った切込み４１を形成しておく。そして、固定具（図示せず）を介してジョイント部材本体３０を第２入隅部Ｃ2 に配設して、該入隅部Ｃ2 において露出している電線Ｌを覆うと共に、その両端の第１及び第２の各接続口３７，３８に、天井面Ｒ及び壁面Ｗに配設された第３及び第２の各電線保護カバーＰ3,Ｐ2 の端部を嵌合させた状態にすると、図８及び図９に示されるように、ジョイント部材本体３０の圧縮変形部３４に切込み４１（図１２参照）を設けることにより、該圧縮変形部３４は、巾木Ｂに対応する部分のみが、該巾木Ｂの突出量に対応した量だけ圧縮変形されて、その背面側の第２当接面３６は、巾木Ｂの前面、及びその直下の壁面Ｗに当接する。これにより、巾木Ｂと壁面Ｗとの間に大きな段差があっても、ジョイント部材本体３０の背面側端面である第２当接面３６と壁面Ｗとの間に大きな隙間が形成されなくなる。また、ジョイント部材本体３０の第１当接面３５は、天井面Ｒに当接している。なお、図１１において、１９は、天井板を示す。
【００２３】
また、ジョイント部材本体に一体に設けられる圧縮変形部は、上記各実施例では、いずれも蛇腹部材で構成されているが、本発明においては、圧縮変形して巾木等の突出縁部の前面に全面当接可能であれば、ゴム材、軟質樹脂材等の他の如何なる部材であってもよい。また、上記各実施例では、入隅部に形成される突出縁部として巾木を例に挙げたが、本発明に係るジョイント部材を使用すれば、他の突出部であっても、干渉を避けて配設可能であると共に、突出縁部が設けられる部分に関しても、壁面に限られず、床面の場合も有り得る。
【００２４】
なお、上記実施例では、保護カバーに収容保護される配線・配管材として電線を例に挙げたが、他の配線・配管材としては、ケーブル、給水湯管、エアコン用冷媒管等が挙げられ、本発明に係るジョイント部材は、これらの配線・配管材を建物の入隅部を通して配線・配管する際に、該入隅部において露出する部分を覆うことも可能である。
【００２５】
【発明の効果】
本発明に係るジョイント部材は、ジョイント部材本体における入隅部を形成する面に当接する当接部に、前記入隅部に形成される巾木等の突出縁部の突出量に応じて圧縮変形可能な蛇腹部材、ゴム材、又は軟質樹脂材から成る圧縮変形部を設けてあるので、建物の入隅部に巾木等の突出縁部が設けられている場合にも、その当接部を当接させることができて、前記当接部と壁面等との間に隙間が生じなくなる。この結果、ジョイント部材の部分の見栄えが良好になると共に、室内の外観も高まる。
【図面の簡単な説明】
【図１】  本発明に係るジョイント部材Ｊ1 の一使用例を示す斜視図である。
【図２】  同じく側面断面図である。
【図３】  ジョイント部材本体１０と固定具Ｄとを正面下方から見た分離状態の斜視図である。
【図４】  図２のＸ1 −Ｘ1 線断面図である。
【図５】  図２のＸ2 −Ｘ2 線断面図である。
【図６】  図２のＹ−Ｙ線断面図である。
【図７】  ジョイント部材Ｊ1 の別の使用例を示す側面断面図である。
【図８】  圧縮変形部９に切欠き部２０を設けたジョイント部材本体１０を背面下方から見た斜視図である。
【図９】  本発明に係るジョイント部材Ｊ1 の更に別の使用例を示す側面図である。
【図１０】  本発明に係るジョイント部材Ｊ2 の使用例を示す斜視図である。
【図１１】  同じく側面図である。
【図１２】  ジョイント部材Ｊ2 の斜視図である。
【図１３】  従来のジョイント部材Ｊ’の使用状態の側面図である。
【符号の説明】
Ｂ，Ｂ’：巾木（突出縁部）
Ｃ1 ：第１入隅部
Ｃ2 ：第２入隅部
Ｄ：固定具
Ｆ：床面（入隅部を形成する面）
Ｊ1 ：第１ジョイント部材
Ｊ2 ：第２ジョイント部材
Ｌ：電線（配線・配管材）
Ｐ1 ：第１電線保護カバー（配線・配管材保護カバー）
Ｐ2 ：第２電線保護カバー（配線・配管材保護カバー）
Ｒ：天井面（入隅部を形成する面）
Ｗ：壁面（入隅部を形成する面）
３，３７：第１接続口（第１接続部）
４，３８：第２接続口（第２接続部）
９，３４：蛇腹部材から成る圧縮変形部
１０，３０：ジョイント部材本体
１８，４１：切込み
【図１】
0003712601.tif 000002
【図２】
0003712601.tif 000003
【図３】
0003712601.tif 000004
【図４】
0003712601.tif 000005
【図５】
0003712601.tif 000006
【図６】
0003712601.tif 000007
【図７】
0003712601.tif 000008
【図８】
0003712601.tif 000009
【図９】
0003712601.tif 000010
【図１０】
0003712601.tif 000011
【図１１】
0003712601.tif 000012
【図１２】
0003712601.tif 000013
【図１３】
0003712601.tif 000014